(57)【要約】封鎖可能な流体接続を作り出すアセンブリを射出成形する金型および方法と、アセンブリ。アセンブリは、雌型部材（２０）と、雌型部材（２０）の孔（２７）を閉鎖するために使用されるストッパー（３０）とを備える。金型は、コア本体（３）およびヘッド（４）を有するコア（２）を具えたコアを備えている。さらに、金型は、複数の金型部分（１０、１１）からなる金型リングを備え、これらの金型部分は、ストッパー（３０）用の金型空洞が、雌型部材（２０）用の金型空洞から間隔をおいて配置されるように設計されている。コア（２）の周りに位置する金型リングの金型部分（１０、１１）は、環状の密閉面（１５）をともに画定し、それによって、金型リングが、ストッパー（３０）用の金型空洞と雌型部材（２０）用の金型空洞との間の領域において、射出成形中にコア（２）に密閉式に支えられて、その結果、金型空洞は、相互に完全に分離される。
2005504664.tif 000002
【特許請求の範囲】
【請求項１】
封鎖可能な流体接続を作り出すアセンブリを射出成形する金型であって、
前記アセンブリは、雌型部材およびストッパーを備え、当該雌型部材は、本体を有し、当該本体は、これを貫通する孔と、当該孔の周りを延び前記孔を閉鎖するために使用される前記ストッパー用の座部とを具え、
前記金型は、コア本体と、前記コアの自由端を形成するヘッドとを有するコアを備え、前記コアのヘッドは、前記ストッパーの一部分を画定し、前記コア本体は、前記雌型本体内の前記孔を画定し、前記金型は、さらに、複数の金型部分からなる金型リングを備え、前記金型部分は、前記アセンブリを射出成形後に突き出すために離すことができ、
前記金型リングは、前記コアの周りを延び、前記コアとともに、前記ストッパー用の金型空洞と、前記ストッパー用の金型空洞と一直線に並んだ、前記雌型部材用の金型空洞とを画定し、前記ストッパー用の金型空洞へプラスチックを供給する１つまたはそれ以上の第１のランナーが前記金型内に設けられ、
前記コアおよび前記金型部分は、前記ストッパー用の金型空洞が、前記雌型部材用の金型空洞から間隔をおいて配置されるように設計されていることと、前記コアの周りに位置する前記金型リングの金型部分が、環状の密閉面を画定し、それによって、前記金型リングが、前記ストッパー用の金型空洞と前記雌型部材用の金型空洞との間の領域において、射出成形中に前記コアに密閉式に支えられ、その結果、前記金型空洞が、相互に完全に別々になることと、および前記雌型部材用の金型空洞内に開口する１つまたはそれ以上の第２のランナーが設けられることとを特徴とする金型。
【請求項２】
前記ストッパーが、空洞を有し、当該空洞は、前記雌型部材の側において開口し、前記雌型部材内の前記孔と実質的に一直線になっており、前記ストッパー内の前記空洞は、前記コアのヘッドが画定する請求項１に記載の金型。
【請求項３】
前記金型リングが、第１の金型部分および第２の金型部分を備え、当該第１および第２の金型部分は、それぞれ前記コアの周りを１８０°にわたって延びるとともに、ともに前記環状密閉面を画定し、当該環状密閉面によって、前記金型リングが、射出成形中に前記金型空洞同士の間の領域において密閉式に前記コアに支えられる請求項１または２に記載の金型。
【請求項４】
金型部分を備え、当該金型部分は、前記コアのヘッドと反対側に位置する前記ストッパー用金型空洞の壁と、さらに前記ストッパーの環状の密閉面に沿い、隣接した環状の金型空洞壁とを画定し、当該密閉面が、前記アセンブリの閉鎖位置において、前記雌型部材の環状座部に支えられる請求項１から３の１つまたはそれ以上の請求項に記載の金型。
【請求項５】
射出成形後に前記ストッパーが前記コアに締め付けられるように、前記コアのヘッドが設計され、前記コアを囲む金型部分が離された後、前記コアの助けで前記雌型部材内の前記孔内へ前記ストッパーを引き込むことができる請求項１から４の１つまたはそれ以上の請求項に記載の金型。
【請求項６】
前記ストッパー用金型空洞が、前記ストッパーの、前記雌型部材の方を向いた側において、内側を向いたフック面を有する弾性フック部材と、外側を向いたフック面を有する弾性フック部材とを画定し、
前記雌型部材の金型空洞は、前記雌型部材の孔内に肩状部を形成し、前記ストッパーが座部内になると、当該肩状部に、前記外側を向いたフック面が係合し、前記内側を向いたフック面が、前記孔内に嵌る雄型部材の肩状部に係合可能であり、
前記ストッパー用金型空洞が、１つまたはそれ以上の第１のフック部材および１つまたはそれ以上の第２のフック部材が、前記ストッパーに形成され周縁周りに配置され、前記第１のフック部材は、それぞれ外側を向いたフック面を有し、前記第２のフック部材は、それぞれ内側を向いたフック面を有する請求項１から５の１つまたはそれ以上の請求項に記載の金型。
【請求項７】
請求項１から６の１つまたはそれ以上の請求項に記載の金型を使用して、封鎖可能な流体接続を作り出すアセンブリを射出成形する方法。
【請求項８】
第１のプラスチック材料が、前記ストッパー用の金型空洞内に注入され、第２のプラスチック材料が、雌型部材用の金型空洞内に注入される請求項７に記載の方法。
【請求項９】
前記ストッパーに使用された前記第１のプラスチック材料が、冷却後に、前記雌型部材に使用された前記第２のプラスチック材料とは異なる硬度を有する請求項８に記載の方法。
【請求項１０】
前記第１および第２のプラスチック材料の射出成形が、実質的に同時に行われる請求項７から９のいずれかに記載の方法。
【請求項１１】
前出の請求項１から６の１つまたはそれ以上の請求項に係る金型を使用して封鎖可能な流体接続を作り出すアセンブリを射出成形する方法であって、前記金型空洞の一方の金型空洞内のみへプラスチック材料が注入され、他方の金型空洞内へはプラスチック材料が注入されない射出成形法。
【請求項１２】
請求項１から６の１つまたはそれ以上の請求項に係る金型を使用して射出成形し、任意で請求項７から１１の１つまたはそれ以上の請求項に係る方法を用いて製造される流体接続を作り出すアセンブリ。
【請求項１３】
封鎖可能な流体接続を作り出すアセンブリであって、
当該アセンブリは、雌型部材およびストッパーを備え、
前記雌型部材は、本体を有し、当該本体は、これを貫通する孔と、前記孔の周りを延び前記孔を閉鎖するために使用される前記ストッパー用の座部とを具えた前記本体を有し、
前記ストッパーには、前記雌型部材の方を向いた側に、弾性フック部材が設けられ、当該弾性フック部材は、内側を向いたフック面と外側を向いたフック面とを有し、
前記雌型部材の孔は、肩状部を形成し、前記ストッパーが座部内になると、前記肩状部に、前記外側を向いたフック面が係合し、
前記内側を向いたフック面が、前記孔内に嵌る雄型部材の肩状部に係合可能であり、
前記ストッパーに、周縁周りに配置された１つまたはそれ以上の第１のフック部材と１つまたはそれ以上の第２のフック部材とが設けられ、前記第１のフック部材は、それぞれ外側を向いたフック面を有し、前記第２のフック部材は、それぞれ内側を向いたフック面を有することを特徴とするアセンブリ。
【請求項１４】
前記第１および第２のフック部材は、前記ストッパーの周縁周りに交互に配置される請求項１３に記載のアセンブリ。
【請求項１５】
前記雌型部材の孔に嵌るとともに流体用の内側通路が設けられた管状部分を有する雄型部材も備え、
前記雄型部材は、ヘッドと、当該ヘッドの後に位置する肩状部とを有するとともに、前記ストッパーの内側を向いたフック部材を収容する凹所を有し、その結果、前記ストッパーが、前記雄型部材に連結される請求項１３または１４に記載のアセンブリ。
【請求項１６】
前記アセンブリは、前記雄型部材が完全に前記孔内に嵌ると、前記ストッパーが前記孔から取り除かれるように設計されている請求項１２から１５の１つまたはそれ以上の請求項に記載のアセンブリ。
【請求項１７】
前記ストッパーは、前記雌型部材が前記孔内へ完全に嵌ると、前記孔内へ部分的に突出する請求項１２から１５のいずれかに記載のアセンブリ。
【請求項１８】
請求項１から６の１つまたはそれ以上の請求項に記載の金型、または請求項７から１１に記載の方法を用いて製造される、請求項１２から１７の１つまたはそれ以上の請求項に記載のアセンブリ。
【発明の詳細な説明】
【技術分野】
【０００１】
第１の態様によれば、本発明は、封鎖可能な流体接続用アセンブリの射出成形に関し、特に射出成形およびこの金型の使用に関する。
【０００２】
封鎖可能な流体接続を作り出すためのアセンブリは、雌型部材および関連のストッパーを備え、雌型部材は、本体を貫通する孔と、孔の周りを延びる、ストッパー用の座部とを具えた本体を有し、ストッパーは、孔を閉鎖するために使用される。
【０００３】
封鎖可能な流体接続を作り出すこのタイプのアセンブリを射出成形するための金型が、例えば、オランダ国特許出願公開第１０１２０２０号明細書から知られている。この既知の金型では、ストッパー用の金型空洞が、狭い環状ギャップを介して、雌型部材用の金型空洞と連通し、その結果、射出成形中に、一体化した膜接合部が、アセンブリの２つの構成部品の間に形成される。
【０００４】
さらには、既知の金型では、ストッパー用の金型空洞内において開口する第１のランナーを経てプラスチック材料を注入可能である。次いで、プラスチック材料は、狭い環状のギャップを経て、雌型部材用の金型空洞内へ入る。
【０００５】
アセンブリを冷却した後、既知の金型では、金型リングを形成する金型部分を離し、次いでコアを引き出す。本プロセスでは、ストッパーは、コアのヘッド上に締め付けられ、その結果、ストッパーと雌型部材との間の一体化した膜接合部が、裂け、ストッパーが、雌型部材の座部内へ移動する。次いで、コアのヘッドがストッパーから連結を解除され、アセンブリは、閉鎖状態になり、金型から突き出すことができる。
【背景技術】
【０００６】
国際出願公開第ＷＯ９９／０５４４６号明細書が、本出願人の名の下に、封鎖可能な流体接続を作り出すアセンブリであって、ストッパーが、可撓性のあるアームを介して、雌型部材と一体化しているアセンブリを開示している。使用される射出金型は、ストッパーの内側を画定するヘッドと、雌型部材内の孔を画定するコア本体とを具えたコアを有する。さらには、金型は、金型リングを有し、この金型リングは、２つの金型部分からなり、アームの平面に分割面を有する。これらの金型部分は、コアとともに、雌型部材、ストッパーおよび可撓性アーム用の単一の金型空洞を形成する。ストッパーは、コアのヘッド上に締め付けられ、コアが引き出されると、その結果、雌型部材内の座部内へ引き入れることができる。
【０００７】
国際公開第ＷＯ９３／０７０８４号明細書が、特に水タンクにおいて、寸法の安定した容器の首状部内に雌型部材が固定されるように設計されたアセンブリを開示している。この場合、ストッパーおよび雌型部材は、別個の射出金型内において製作され、次に組み立てられる。
【０００８】
流体は、液体、流動性物質、ガス、（細かい）粉末などのような種々のタイプの流動材料にすることができる。したがって、このタイプのアセンブリは、広範囲の適用を有する。この理由から、アセンブリは、一般に、非常に多数製造され、したがって、原価をできるだけ低くしなければならない。この理由から、アセンブリは、一般に、非常に多数製造され、したがって、原価をできるだけ低くしなければならない。
【発明の開示】
【課題を解決するための手段】
【０００９】
改良されたアセンブリを射出成形することができる改良された金型を提供することが、本発明の第１の態様の目的である。
【００１０】
本発明は、請求項１の前文に係る金型を提供することによってこの目的を達成し、この金型は、以下の特徴を有する。すなわち、ストッパー用の金型空洞が雌型部材用の金型空洞から間隔をおいて位置するように、コアおよび金型部分が設計されているという特徴、コアの周りに位置する金型リングの金型部分がともに環状の密閉面を画定し、それによって、金型リングが、ストッパー用の金型空洞と雌型部材用の金型空洞との間の領域において、射出成形中にコアに密閉式に支えられ、その結果、金型空洞は、相互に完全に分離するという特徴、ならびに１つまたはそれ以上の第２のランナーが設けられ、このランナーは、雌型部材用の金型空洞内において開口するという特徴を有する。
【００１１】
本発明に係る金型が、ストッパー用の金型空洞と、雌型部材用の、完全に独立した金型空洞とを提供することと、さらに、本発明に係る金型では、溶融したプラスチック用の１つまたはそれ以上の別個のランナーが、各金型空洞と関連づけられることとは、先行技術に係る金型の種々の欠点が、取り除かれ、新たな可能性が得られることを意味する。
【００１２】
例として、オランダ国特許出願公開第１０１２０２０号明細書に記載された金型の欠点の１つは、狭いギャップの中に溶融したプラスチックを押し通すのに高い注入圧力が必要であり、その結果、アセンブリ内に望ましくない応力が生じることである。さらに、狭いギャップによって、満たした後に、雌型部材用の金型空洞へ圧力をさらに加えることが困難となり、それは、寸法精度に悪影響を及ぼす。
【００１３】
オランダ国特許出願公開第１０１２０２０号明細書についての別の欠点は、雌型部材およびストッパーの収縮が、射出成形後に同一であるということであり、それによって、所望の密閉作用を達成することが困難になる。
【００１４】
本発明に係る金型では、各金型空洞内へのプラスチック材料の最適な注入を行うことができる。
【００１５】
ストッパー用の金型空洞内へ第１のプラスチック材料を、かつ雌型部材用の金型空洞内へ第２のプラスチック材料を注入可能であることは、特に有利である。
【００１６】
さらに、例えばプラスチック材料の相違は小さいことも考えられるが、プラスチック材料は、著しく異なるプラスチック材料にすることができる。例として、色または弾性、収縮度などのみを相違させることができる。
【００１７】
本発明に係る金型を使用する好ましい方法では、ストッパーに使用される第１のプラスチック材料の冷却後における硬度を、雌型部材に使用される第２のプラスチック材料の冷却後における硬度と相違させることができる。
【００１８】
ストッパーと雌型部材との間の信頼できる密閉を得るために、異なるプラスチック材料、特に最終的に異なる硬度を有する材料を使用可能であることが好ましい。
【００１９】
考え得る一実施形態では、ストッパーは、雌型部材より低い硬度を有し、ただし、当然ながら本発明に係る金型でその逆も可能である。
【００２０】
各金型空洞内への第１および第２のプラスチック材料の注入は、実質的に同時に行うことが好ましく、このようにしてできるだけ高い製造速度が達成される。
【００２１】
本発明に係る金型によって、ストッパー用の金型空洞内へはプラスチック材料を注入せずに雌型部材用の金型空洞内にのみプラスチック材料を注入可能であり、あるいは雌型部材用の金型空洞内へはプラスチック材料を注入せずにストッパー用の成型空洞内のみにプラスチック材料を注入することができる。その結果、金型を用いて、雌型部材のみまたはストッパーのみを製造することができる。
【００２２】
本発明の第２の態様は、請求項１３の前文に係る封鎖可能な流体接続を作り出すアセンブリに関する。
【００２３】
国際出願公開第ＷＯ９９／０５４４６号明細書は、ストッパーの、雌型部材の方を向いた側に弾性フック部材が設けられたアセンブリを開示しており、各フック部材は、内側を向いたフック面と外側を向いたフック面とを有している。
【００２４】
雌型部材の孔には、環状の肩状部が形成され、ストッパーが座部内になると、外側を向いたフック面が環状の肩状部に係合する。内側を向いたフック面は、孔およびストッパー内に嵌る雄型部材の肩状部に係合可能である。
【００２５】
改良したアセンブリを提供することが、本発明の第２の態様の目的である。特に、アセンブリのフック部材の作用を改良することが、本発明の第２の態様の目的である。
【００２６】
本発明の第２の態様は、請求項１３の前文に係るアセンブリを提供し、このアセンブリは、１つまたはそれ以上の第１のフック部材および１つまたはそれ以上の第２のフック部材がストッパーに設けられ、第１のフック部材は、外側を向いたフック面を有し、第２のフック部材は、内側を向いたフック面を有するという特徴を有する。
【００２７】
本発明に係る第２の態様によって、第１のフック部材および第２のフック部材の作用を別々に最適化することができる。この解決策では、設計者が、次に先行技術に係るフック部材によるよりもずっと多くの自由を有することは明らかである。
【００２８】
第１および第２のフック部材は、ストッパーの周縁周りに交互に配置することが好ましい。
【００２９】
好ましい実施形態では、アセンブリはまた、雄型部材も備え、この雄型部材は、雌型部材の孔内に嵌る管状部分を有しかつ流体用の一体型通路が設けられ、また、この雄型部材は、ヘッドと、ヘッドの後に位置する肩状部とを有するとともに、ストッパーの内側に面するフック部材を収容する凹所を有し、その結果、ストッパーが雄型部材に連結される。
【００３０】
本発明の第２の態様に係るアセンブリが、望ましい場合、本発明の第１の態様に係る金型および射出成形方法を用いて製造可能であることは明らかである。他方では、先行技術に係る金型および方法を用いて、本発明の第２の態様に係るアセンブリを製造可能であることも明らかである。本発明の態様を、図面に関してさらに詳細に以下に説明する。
【発明を実施するための最良の形態】
【００３１】
図１は、封鎖可能な流体接続を行うアセンブリを射出成形する金型１を示し、このアセンブリは、雌型部材２０および関連のストッパー３０を備える。
【００３２】
図１を理解しやすくするために、金型を使用して射出成形されるアセンブリの設計を図２から図６に関して説明する。
【００３３】
ここに示したアセンブリは、例えば石鹸、化粧クリーム、飲料、シロップなどのような、例えば液体、ガス、流動性物質、パウダー用の流体接続を作り出すことを意図している。
【００３４】
雌型部材２０は、前面側２５および背面側２６を具える本体を有し、前面側２５の、雄型部材用の挿入開口部２４から本体の中を通って、軸方向に実質的に円筒形の孔２７が延びており、この孔２７は、両端で開口している。
【００３５】
背面側２６において、孔２７は、本体の突出した環状壁２８により画定されている。環状壁２８の内側は、座部２９を形成し、座部２９は、ストッパー３０へ向かって、孔２７の周りを延び、ストッパー３０は、孔２７を閉鎖するために使用される。
【００３６】
雌型部材２０の本体の底部分は、特に、可撓性のあるプラスチックパウチの２つの壁の間において密閉されるように設計されている。
【００３７】
ここに示していない実施形態では、異なる設計において、ボトル、タンクまたは他の容器あるいは同様のものの首状部内へ配置できるように、あるいは可撓性のあるパウチ上に配置された環状の固定部材内に配置できるように形成することもできる。後者の設計は、特にバッグ−イン−ボックスシステムとして知られている。
【００３８】
さらには、ストッパーおよび雌型部材のアセンブリはまた、さらに関連の雄型部材（図示せず）を具えることができ、雄型部材は、雌型部材２０の孔２７内へ嵌る管状部を有し、端部にヘッドを有する。雄型部材の中には、流体用の内側軸方向通路がある。軸方向通路は、一方の端部で開口し、他方の端部のヘッドには１つ以上の開口部が設けられている。一例として、雄型部材には、非開口端部の近くにおいて、雄型部材の外周へ軸方向通路を連結するいくつかの横断方向通路が設けられている。
【００３９】
ストッパー３０は、環状壁３１および端壁３２と、挿入開口部２４に向かって開口した空洞３３とを有し、この空洞３３が、雄型部材のヘッドを受け入れる。
【００４０】
端壁３２は、円筒形の凹所３４を形成し、その直径は、雄型部材のヘッドの円筒形突起部の直径に適合している。この相補的な形状は、ストッパー３０がヘッド上において正確な位置のままとなり傾かないことを保証する。
【００４１】
とりわけ図６から分かるように、ストッパー３０は、雌型部材２０の挿入開口部２４に面した側の周縁周りに配置されたフックフィンガー３７、３８を有する。
【００４２】
この構成では、第１のフックフィンガー３７は、外側を向いたフック面のみを有し、第２のフックフィンガー３８は、内側を向いたフック面のみを有する。第１のフックフィンガー３７および第２のフックフィンガー３８を、この場合には交互に、例えば各タイプを２つまたは４つ配置している。
【００４３】
フックフィンガー３７、３８は、フックフィンガー３７、３８に作用する力の影響下で、径方向内側および外側へ跳ね返り得る。これに関連して、跳ね返り動作は、フックフィンガーを、特にフックフィンガーの長さおよび断面を適切な寸法にすることによって、調整可能である。特に、フックフィンガー３７の跳ね返り動作は、フックフィンガー３８の跳ね返り動作とは無関係に調整可能である。
【００４４】
ストッパー３０の封鎖位置では、外側を向いたフックフィンガー３７は、雌型部材２０の肩状面４０に係合し、このように座部（図４）内にストッパー３０を保持することに貢献する。
【００４５】
内側を向いたフックフィンガー３８は、雄型部材のヘッドの対応の肩状面に係合するように意図されており、このように、ストッパー３０が座部２９内へ引き込まれると、雄型部材のヘッドにストッパー３０を保持する。
【００４６】
以下に説明するように、内側を向いたフックフィンガー３８はまた、アセンブリの射出成形および突出しに関する役割を果たす。
【００４７】
ここに示していない変形では、例えば国際公開第ＷＯ９９／０５４４６号明細書から分かるように、フックフィンガーの代わりに、一周するカラーをストッパーに設けることができる。
【００４８】
金型１は、ピン状のコア本体３とヘッド４とを有するコア２を備え、ヘッド４は、コア２の自由端を形成する。
【００４９】
コア２のヘッド４は、ストッパー３０内に空洞３３を画定する。コア本体３は、雌型部材２０中の孔２７を画定する。
【００５０】
さらに、金型１は、コア２の周りを延び第１の金型部分１０および第２の金型部分１１を有する金型リングを備え、これらの金型部分は、それぞれコア２の周りを１８０度、かつコア２の長さにわたって延びている。さらに、金型１は、第３の金型部分１２を備え、この第３の金型部分は、コア２のヘッドに対して横方向に延びる。
【００５１】
金型部分１０、１１、１２とコア２とはともに、ストッパー３０用の金型空洞と、ストッパー３０用の金型空洞と一直線に並んだ、雌型部材２０用の金型空洞とを形成している。
【００５２】
金型部分１０、１１、１２は、射出成形後にアセンブリを突き出すために離すことができる。
【００５３】
コア２および金型部分１０、１１、１２は、雌型部材２０用の金型空洞から間隔をおいてストッパー３０用の金型空洞が配置されるように設計されている。
【００５４】
コア２のまわりに位置する金型リングの金型部分１０、１１はともに、環状密閉面１５を画定し、それによって、金型リングが、ストッパー３０用の金型空洞と雌型部材２０用の金型空洞との間の領域において、射出成形中に密閉式にコア２に支えられ、その結果、金型空洞は、相互に完全に分離する。
【００５５】
金型１には、少なくとも１つの第１のランナー１６とさらに少なくとも１つの第２のランナー１７とが設けられ、第１のランナー１６は、ストッパー３０用の金型空洞内に開口し、第２のランナー１７は、雌型部材２０用の金型空洞内に開口している。
【００５６】
金型１を使用してアセンブリを射出成形している間に、第１のプラスチック材料が、ストッパー３０用の金型空洞内に注入され、第１のプラスチック材料とは異なる第２のプラスチック材料が、雌型部材２０用の金型空洞内に注入されることが好ましい。
【００５７】
考え得る１つの実施形態では、ストッパー３０用の第１のプラスチック材料は、冷却後、雌型部材２０の第２のプラスチック材料とは異なる硬度を有する。硬度におけるこの相違は、達成されるストッパーの密閉作用のために、かつストッパーをコアのヘッドへかつ／または使用される種々の雄型部材へ確実に連結するために利用可能であることが好ましい。
【００５８】
雌型部材２０用のプラスチック材料が比較的軟質である場合、雌型部材内の孔へ嵌められる雄型部材と組み合わせて雌型部材を使用する時に、雌型部材と雄型部材との間を密閉するために雌型部材の比較的軟質の特性を用いることができる。特に、雌型部材と雄型部材と間の別個の密閉リングを不要にすることができる。
【００５９】
製造速度を速くするためには、第１のプラスチック材料および第２プラスチック材料の射出成形を実質的に同時に行うことが好ましい。
【００６０】
コア２のヘッド４は、射出成形後、ストッパー３０がコア２へ締め付けられるように設計されて、コアの周りに位置する金型部分１０、１１、１２を離した後に、コア２の助けにより雌型部材２０内の孔２７の中へストッパー３０を引っ張り込むことができ、次いで、前記部材２０が、接合部（図示せず）において支持される。
【００６１】
ここに示したストッパー３０の場合、コア２上への締め付けは、特に、射出成形中に形成され内側を向いたフックフィンガー３８によって、達成される。
【００６２】
金型１によって、ストッパー用の金型空洞内へ種々のプラスチック材料を注入することなく、雌型部材用の金型空洞内にのみプラスチック材料を注入することができ、またその逆も可能である。図１からはっきり分かるように、第３の金型部分１２は、コア２のヘッド４と反対側に位置する、ストッパー３０用の金型空洞の壁を形成し、かつストッパー３０の環状の密閉面４３に対応した、隣接する環状の金型空洞壁４２とを形成する。このように、前記密閉面４３は、部分的な継ぎ目がなく、かつアセンブリの閉鎖位置において雌型部材２０の、同様に部分的な継ぎ目がない環状座部２９に支えられる。
【図面の簡単な説明】
【００６３】
【図１】プラスチック材料を射出成形した後の、本発明に係る金型の好ましい実施形態による断面を示す。
【図２】図１に示した金型を使用して製造されたアセンブリのストッパー側から見た斜視図を示す。
【図３】ストッパー側から見た、図２によるアセンブリを示す。
【図４】図３のＩＶ−ＩＶ線における断面を示す。
【図５】図３のＶ−Ｖ線における断面を示す。
【図６】本発明の第２の態様に係る、図１から図５に示したストッパーの４分の１の部分を示す。
【国際公開パンフレット】
2005504664.tif 000003
2005504664.tif 000004
2005504664.tif 000005
2005504664.tif 000006
2005504664.tif 000007
2005504664.tif 000008
2005504664.tif 000009
2005504664.tif 000010
2005504664.tif 000011
2005504664.tif 000012
2005504664.tif 000013
2005504664.tif 000014
2005504664.tif 000015
2005504664.tif 000016
2005504664.tif 000017
2005504664.tif 000018
2005504664.tif 000019
2005504664.tif 000020
2005504664.tif 000021
2005504664.tif 000022
2005504664.tif 000023
【国際調査報告】
2005504664.tif 000024
2005504664.tif 000025
2005504664.tif 000026